(57)【要約】【課題】電動工具若しくはその周辺機器を収容した工具ケースを複数段に段積みして結合することにより一体的に取り扱うことができる段積みケースにおいて、従来は電動工具若しくはその周辺機器の収容にのみ利用されていた。本発明では、搬送の利便性を高めることができる段積みケースの利用範囲を拡大することを目的とする。【解決手段】段積みケース５０に対して内部の冷却機能を持たせて、飲食料品の持ち運び用のクーラーボックスとして利用できるようにする。内部の冷却機能としては、ペルチェ素子５５の冷却機能を利用する。ペルチェ素子５５や冷却ファン５７及び放熱ファン５９に対する電力供給用として、多数のバッテリパック７０を収容した電源装置６０を段積みして一体化しておくことにより一層利便性を高めることができる。【選択図】図１２
2017164885.tif 000002
【特許請求の範囲】
【請求項１】
電動工具を収容可能なケースに対して固定可能なケースであって、断熱材を有し、収容物を保冷状態又は保温状態で収容可能なケース。
【請求項２】
請求項１記載のケースであって、ケース本体と該ケース本体を開閉する蓋を有し、該蓋は外板と内板との間に前記断熱材を配置した構成を有し、前記内板を固定部材を用いて前記外板に対して固定したケース。
【請求項３】
請求項１又は２記載のケースであって、ケース本体と該ケース本体を開閉する蓋を有し、前記ケース本体は外板と内板との間に前記断熱材を配置した構成を有し、前記外板と前記内板との間にリブを配置して相互に接触可能な構成としたケース。
【請求項４】
電動工具を収容可能な第１のケースと、
該第１のケースに対して固定可能であって、飲料収容用のビン類を収容可能な第２のケースとを有するケースセットであって、前記第１のケースと前記第２のケースの少なくとも一部の色を異ならせたケースセット。
【請求項５】
請求項４記載のケースセットであって、前記第２のケースの外面に前記ビン類を収容可能であることを示す表示を付したケースセット。
【請求項６】
断熱材を有し、収容物を保冷状態又は保温状態で収容可能なケースに、電動工具を収容したケース。
【請求項７】
電動工具を収容した工具ケースを上段側に段積みして一体化するためのラッチを備えた段積みケースであって、内部を冷却又は加温するための機能を備えた段積みケース。
【請求項８】
請求項７記載の段積みケースであって、前記内部を冷却又は加温するための機能としてペルチェ素子を用いた段積みケース。
【請求項９】
請求項８記載の段積みケースであって、前記ペルチェ素子に電力を供給する電源として、前記電動工具に電源として用いる充電式のバッテリパックを利用可能な段積みケース。
【請求項１０】
請求項９記載の段積みケースであって、前記ペルチェ素子に放熱用の放熱フィンと放熱ファンを併設した段積みケース。
【請求項１１】
請求項１０記載の段積みケースであって、前記ペルチェ素子と前記バッテリパックと前記放熱フィンと前記放熱ファンをユニット化して内装した段積みケース。
【請求項１２】
請求項８記載の段積みケースであって、前記ペルチェ素子に電力を供給する電源として、前記電動工具に電源として用いる充電式のバッテリパックを複数電気的に接続して収容した電源装置を段積み可能な段積みケース。
【請求項１３】
段積みケースに対して段積み状態で結合されて該段積みケースの内部を冷却する冷却機能又は暖める保温機能の一方又は双方の機能を有する段積み装置であって、電動工具を収容するための工具ケースに対して段積み状態で結合するための段積み結合手段を備えており、該段積み結合手段を介して前記段積みケースに対して段積み状態で結合される段積み装置。
【請求項１４】
請求項１３記載の冷却装置であって、熱源としてペルチェ素子を備えた段積み装置。
【請求項１５】
請求項１３又は１４記載の段積み装置であって、電源として電動工具の電源としても利用可能な充電式のバッテリパックを利用可能な構成とした段積み装置。
【請求項１６】
請求項１３〜１５の何れか１項に記載した段積み装置であって、前記段積み結合手段として、上段側に段積みした段積みケースとの間に跨って係合させて当該段積み状態を固定するラッチを備えた段積み装置。
【請求項１７】
電動工具を収容するための工具ケースに対して段積み状態で結合するための段積み結合手段を備えた段積みケースであって、当該段積みケースの内部を冷却する冷却機能又は暖める保温機能の一方又は双方の機能を有する段積み装置を前記段積み結合手段を介して段積み状態で結合可能な段積みケース。
【発明の詳細な説明】
【技術分野】
【０００１】
この発明は、例えば建築作業等に用いる切断機やねじ締め工具等の電動工具を収納した工具ケースを段積み状態で一体に持ち運びできる段積みケースに関する。
【背景技術】
【０００２】
段積みケースに関する技術が下記の特許文献に開示されている。下記の特許文献には、蓋を閉じ位置にロックするラッチを上段側に段積みしたケースに係合させて上下二段のケースを一体化する構成とした段積みケースが開示されている。上段側のケースの蓋はラッチで閉じ位置にロックされ、下段側のケースの蓋は上段側のケースが段積み状態に一体化されることにより閉じ位置にロックされる。ラッチの係合を解除すれば上下二段のケースは別々のケースとして個別に利用可能で、それぞれラッチにより蓋の閉じ状態がロックされる。このように、蓋の閉じ状態をロックするラッチを、上段側に段積みしたケースに係合させて一体化させる連結部材として機能させることにより、複数段に段積みしたケースを一体化して搬送することができ、この点で複数ケース搬送時の便宜を図ることができる。係る段積みケースによれば、電動工具やその周辺機器を複数個のケースに分けて収納し、これを段積み状態で一体化させれば持ち運び時の便宜を図ることができる。
【先行技術文献】
【特許文献】
【０００３】
【特許文献１】特開２０１３−２２６６２１号公報
【発明の概要】
【発明が解決しようとする課題】
【０００４】
このように複数個を段積み状態で一体化して持ち運びできる段積みケースは、従来電動工具及びその周辺機器を収容することに限定されていた。本発明は、複数個を段積み状態で一体化して搬送できる利便性を備えた段積みケースについて、その活用範囲を一層広げることを目的としてなされた。
【課題を解決するための手段】
【０００５】
上記の課題は、以下の各発明により解決される。第１の発明は、電動工具を収容可能なケースに対して固定可能なケースであって、断熱材を有し、収容物を保冷状態又は保温状態で収容可能なケースである。
【０００６】
第１の発明によれば、例えば飲料水や食料品等の収容物を保冷状態又は保温状態で収容して、電動工具と一緒に持ち運ぶことができ、この点でこの種のケースについて収容可能な収容物の適用範囲を広げてその利便性を高めることができる。
【０００７】
第２の発明は、第１の発明において、ケース本体部とケース本体部を開閉する蓋を有し、蓋は外板と内板との間に断熱材を配置した構成を有し、内板を固定部材を用いて外板に対して固定したケースである。
【０００８】
第２の発明によれば、蓋の外板と内板とが固定部材を介して相互に固定されることにより、断熱材の変形あるいは位置ずれを防止することができ、これにより断熱材による高い断熱効果を維持することができる。
【０００９】
第３の発明は、第１又は第２の発明において、ケース本体部とケース本体部を開閉する蓋を有し、ケース本体部は外板と内板との間に断熱材を配置した構成を有し、外板と内板との間にリブを配置して相互に接触可能な構成としたケースである。
【００１０】
第３の発明によれば、ケース本体部の外板と内板とがリブを介して接触可能とされることにより当該外板と内板との間の断熱材配置用のスペースが確保され、これにより断熱材の変形あるいは位置ずれを防止してその高い断熱効果を維持することができる。
【００１１】
第４の発明は、電動工具を収容可能な第１のケースと、第１のケースに対して固定可能であって、飲料収容用のビン類を収容可能な第２のケースとを有するケースセットであって、前記第１のケースと前記第２のケースの少なくとも一部の色を異ならせたケースセットである。
【００１２】
第４の発明によれば、第１のケースと第２のケースを例えば段積み状態で結合して一体化することにより、その持ち運びの利便性を高めることができる。第２のケースに、飲料をビン詰め状態あるいは缶入りやペットボトル入り（ビン類）のまま複数本収容しておくことにより、電動工具を用いる作業現場において作業者の飲用に供することができ、この点でこの種のケースセットの適用範囲を拡大してその利便性を高めることができる。
【００１３】
第５の発明は、第４の発明において、第２のケースの外面にビン類を収容可能であることを示す表示を付したケースセットである。
【００１４】
第５の発明によれば、使用者の利便性を高めることができる。ビン類を収容可能である旨の表示には、文字や写真あるいは図柄を用いることができる。
【００１５】
第６の発明は、断熱材を有し、収容物を保冷状態又は保温状態で収容可能なケースに、電動工具を収容したケースである。
【００１６】
第６の発明によれば、飲食料品に代えて電動工具を収容することにより、当該ケースの適用範囲を拡大してその利便性を高めることができる。
【００１７】
第７の発明は、電動工具を収容した工具ケースを上段側に段積みして一体化するためのラッチを備えた段積みケースである。第７の発明では、内部を冷却又は加温するための機能を備えた構成となっている。
【００１８】
第７の発明によれば、電動工具及びその周辺機器を収容した工具ケースと、内部の冷却機能を備えた段積みケースとを段積み状態で一体化して持ち運ぶことができる。この段積みケースには、例えば飲食料品を保冷状態で収容することができる。このことから第７の発明によれば、電動工具及びその周辺機器を用いる作業場へ、飲食料品等を保冷状態又は加温状態で持ち運ぶ際の利便性を高めることができ、この点で当該段積みケースを例えばクーラーボックスとして機能させることによりその活用範囲を広げることができる。
【００１９】
第８の発明は、第７の発明において、内部を冷却又は加温するための機能としてペルチェ素子を用いた段積みケースである。
【００２０】
第８の発明によれば、内部を冷却又は加温するための手段としてペルチェ素子が用いられている。ペルチェ素子は、２種類の金属板の接合部に電流を流すと、一方の金属板から他方の金属板に熱が移動するというペルチェ効果を利用した熱伝素子であり、一方の片面では冷却機能が発揮され、他方の片面では発熱する性質を有している。ペルチェ素子そのものは、多くの場合矩形平板形状を有するもので、種々サイズのものが一般に市販されている。段積みケースの内部を冷却又は加温するための機能としては、上記のペルチェ素子に代えてコンプレッサ（熱交換式）や電熱線を用いることができる。
【００２１】
第９の発明は、第８の発明において、ペルチェ素子に電力を供給する電源として、段積みした工具ケースの電動工具に用いる充電式のバッテリパックを利用可能な段積みケースである。
【００２２】
第９の発明によれば、段積みにより一緒に持ち運ぶことができる電動工具用のバッテリパックを電源として利用することができ、当該電動工具とペルチェ素子の電源を共用化することができる。当該バッテリパックを複数個用意することにより、電動工具とペルチェ素子を同時に稼動させることができる。また、バッテリパック（直流電源）を電源として利用可能であることから、交流電源用のコンセントがない屋外等においても、当該段積みケースの冷却機能を利用することができる。さらに、バッテリパックは充電することにより繰り返し使用することができ、この点で冷却機能の利便性を一層高めることができる。
【００２３】
第１０の発明は、第９の発明において、ペルチェ素子に放熱用の放熱フィンと放熱ファンを併設した段積みケースである。
【００２４】
第１０の発明によれば、ペルチェ素子の発熱側の放熱効率を放熱フィンと放熱ファンにより高めることができ、これにより結果としてペルチェ素子の冷却機能又は加温機能を高めることができる。第１０の発明では、特別の放熱フィンを設ける構成の他、当該ペルチェ素子を取り付けた当該段積みケース自体を放熱用のフィンとして機能させることができる。
【００２５】
第１１の発明は、第１０の発明において、ペルチェ素子とバッテリパックと放熱フィンと放熱ファンをユニット化して内装した段積みケースである。
【００２６】
第１１の発明によれば、ペルチェ素子とバッテリパックと放熱フィンと放熱ファンを一つのユニット（冷却ユニット）として取り扱うことができることから、当該冷却ユニットを他の段積みユニットに追加装備（後付け）し、あるいは取り外す際の取り扱い性を高めることができる。
【００２７】
第１２の発明は、第８の発明において、ペルチェ素子に電力を供給する電源として、電動工具用の充電式バッテリパックを複数電気的に接続して収容した電源装置を段積み可能な段積みケースである。
【００２８】
第１２の発明によれば、大電力を供給可能な電源ケースを工具ケースに加えて若しくは代えて段積み状態で一体化して持ち運ぶことができ、この点でペルチェ素子の機能及び電源の取り扱い性を一層高めることができる。
【００２９】
第１３の発明は、段積みケースに対して段積み状態で結合されて当該段積みケースの内部を冷却する冷却機能又は暖める保温機能の一方又は双方の機能を有する段積み装置である。第１３の発明に係る段積み装置は、電動工具を収容するための工具ケースに対して段積み状態で結合するための段積み結合手段を備えており、この段積み結合手段を介して段積みケースに対して段積み状態で結合される構成となっている。
【００３０】
第１３の発明によれば、段積みケースと段積み装置を段積み状態で結合して持ち運ぶことができる。段積みケースは段積み装置から分離して、物品収納ケースとして単独で使用することができる一方、段積み装置は他の段積みケースに結合すれば当該他の段積みケースの内部を保温若しくは保冷することができる。段積み装置に、段積みケースの内部を保温若しくは保冷するために必要な機能一式をユニット化した構成であることから、その取り扱い性を高めることができるとともに他の段積みケースに対する汎用性を高めることができる。
【００３１】
第１４の発明は、第１３の発明において、熱源としてペルチェ素子を備えた段積み装置である。
【００３２】
第１４の発明によれば、ペルチェ素子の冷却側に電力を供給することにより当該段積み装置の冷却機能を発揮させることができる。段積みケースの内部を保冷（冷却）する機能としては、ペルチェ素子に代えてコンプレッサ（熱交換式）を用いることができる。ペルチェ素子の加熱側に電力供給することにより、当該段積み装置を保温装置として機能させることができる。ペルチェ素子の電力供給側を切り替えることにより、当該段積み装置の保温機能と保冷機能を切り替えて利用することができる。段積み装置を保温装置として用いる場合には、熱源としてのペルチェ素子に代えて例えば上記コンプレッサや電熱線を用いることができる。
【００３３】
第１５の発明は、第１３又は第１４の発明において、電源として電動工具の電源としても利用可能な充電式のバッテリパックを利用可能な構成とした段積み装置である。
【００３４】
第１５の発明によれば、電動工具のバッテリパックを有効活用して段積み装置を機能させることができる。
【００３５】
第１６の発明は、第１３〜第１５の何れか一つの発明において、段積み結合手段として、上段側に段積みした段積みケースとの間に跨って係合させて当該段積み状態を固定するラッチを備えた段積み装置である。
【００３６】
第１６の発明によれば、ラッチの係合により段積みケースと段積み装置を段積み状態に結合することができ、ラッチの係合解除により、段積み状態の段積みケースと段積み装置を分離することができる。ラッチの係合操作若しくは係合解除操作により、段積みケースと段積み装置を結合し、若しくは分離することができ、この点で当該段積みケース及び段積み装置の取り扱い性を高めることができる。
【００３７】
第１７の発明は、電動工具を収容するための工具ケースに対して段積み状態で結合するための段積み結合手段を備えた段積みケースであって、当該段積みケースの内部を冷却する冷却機能又は暖める保温機能の一方又は双方の機能を有する段積み装置を前記段積み結合手段を介して段積み状態で結合可能な段積みケースである。
【００３８】
第１７の発明によれば、工具ケースに段積みケースを段積み状態で結合して一体で持ち運ぶことができる。段積みケースには、工具ケースに加えて若しくは代えて段積み装置を段積み状態で結合することができる。段積み装置を段積み状態で結合することにより、当該段積みケースの内部を保温若しくは保冷することができる。段積み装置により内部を冷却することにより、段積みケースを飲料水等を冷却状態で収容しておくためのクーラーボックスとして利用することができる。段積み装置により内部を保温することにより、段積みケースを飲料水等を保温状態で収容しておくためのホットボックスとして利用することができる。
【図面の簡単な説明】
【００３９】
【図１】本発明の第１実施形態に係る段積みケースの斜視図である。本図では、下段側に電源ケースを段積みした状態で示されている。
【図２】本発明の第１実施形態に係る段積みケースの縦断面斜視図である。
【図３】第１実施形態に係る冷却機能部の縦断面図である。
【図４】電源ケースの斜視図である。本図は蓋を開けた状態を示している。
【図５】バッテリ取り付け部に対するバッテリパックの取り付け、取り外し状態を示す側面図である。
【図６】バッテリパック単体の斜視図である。
【図７】バッテリパックの平面図である。
【図８】バッテリパックの上面図である。
【図９】冷却機能部の制御装置のブロック図である。
【図１０】上段側に工具ケースを段積みした段積みケースの斜視図である。
【図１１】第２実施形態に係る段積みケースの斜視図である。本図では、下段側に電源ケースを段積みした状態で示されている。
【図１２】第２実施形態に係る段積みケースの縦断面斜視図である。
【図１３】第２実施形態に係る段積みケースの縦断面図である。
【図１４】第３実施形態に係る段積みケースの縦断面図である。
【図１５】第４実施形態に係る段積みケースの斜視図である。本図では、蓋を開けた状態が示されている。
【図１６】第４実施形態に係る段積みケースの縦断面斜視図である。
【図１７】第５実施形態に係る段積みケースの縦断面図である。
【図１８】図１５の(XVIII)-(XVIII)線断面矢視図であって、内板をクリップで留めた部位の縦断面図である。
【図１９】第６実施形態に係る段積みケースの全体斜視図である。本図では、蓋を開けた状態が示されている。
【図２０】第６実施形態に係る段積みケースの縦断面図である。本図では、蓋を閉じた常態が示されている。
【図２１】図２０の(XXI)部拡大図である。
【図２２】パッキン１０１の縦断面図である。
【図２３】シール部材１０２の傾斜部１０２ａを左側方から見た側面図である。
【図２４】図２０の(XXIV)-(XXIV)線断面矢視図であって、ケース本体の底部の縦断面図である。
【図２５】第７実施形態に係る段積みケースの縦断面図である。本図では、電動工具を収容した状態で示されている。
【図２６】図１８に示すクリップの変更例を示す縦断面図である。
【図２７】図２２に示すパッキンの変更例を示す縦断面図である。
【図２８】第８実施形態に係る段積みケース及び段積み装置の全体斜視図である。
【図２９】第８実施形態に係る段積みケース及び段積み装置の縦断面斜視図である。
【図３０】第９実施形態に係る段積みケース及び段積み装置の縦断面斜視図である。
【図３１】第９実施形態に係る段積み装置の内部構成を示す斜視図である。
【図３２】第１０実施形態に係る段積み装置の内部構成を示す縦断面図である。
【発明を実施するための形態】
【００４０】
次に、本発明の実施形態を図１〜図３２に基づいて説明する。図１及び図２には第１実施形態の段積みケース１０が示されている。図１及び図２では、段積みケース１０の下段側に電源装置６０が段積み状態で結合された状態（ケースセット）が示されている。電源装置６０については後述する。電源装置６０の上面側に段積みされた第１実施形態の段積みケース１０は、上方開放のケース本体１１とこれを開閉する蓋１２を備えている。ケース本体１１及び蓋１２はそれぞれ合成樹脂の成形により製作されており、当該段積みケース１０はいわゆるハードケース（プラケース）となっている。
【００４１】
ケース本体１１の前面１１Ｆには、当該段積みケース１０の収容対象物に関する識別情報を表示するための段差部１６が設けられている。段差部１６は、左右方向中央に当該前面１１Ｆの約半分の面積を占める範囲に設けられている。段差部１６は、他の部位から２ｍｍ〜３ｍｍ程度低い段差部として形成されている。段差部１６は、当該前面１１Ｆの下端部側に開いている。この段差部１６には、当該段積みケース１０の収容対象物に関する識別情報を表示したラベルを貼り付けておくことができる。ラベルに代えてこの段差部１６には、当該識別情報を直接印刷して表示しておくことができる。識別情報としては、例えば当該段積みケース１０が飲食物等をビン詰め状態やペットボトルのまま保冷若しくは保温状態で収容することができるクーラーボックスである旨の表示をすることができる。貼り付けるラベル等は、当該段積みケース１０がクーラーボックスであることが使用者や購入者に一目でわかるように白色や青色を基調としたイメージのイラストや写真等で表示することができる。また、貼り付けるラベルには、ビンやペットボトルの収容可能な本数等を表示して使用者の利便性を高めることができる。係る識別情報表示機能を有する段差部１６は、前面１１Ｆと左右側面１１Ｌ，１１Ｒ及び後面（図では見えていない）に設けられている。図では、左側面１１Ｌの段差部に符号１７を付し、右側面１１Ｒの段差部に符号１８を付して示した。
【００４２】
蓋１２は、ケース本体１１の後部にヒンジ部を介して上下に回動可能に結合されている。蓋１２の上面には、持ち運び用のキャリングハンドル１３が設けれている。キャリングハンドル１３は、上下に回動可能に支持されている。図１に示すように蓋１２の上面には、キャリングハンドル１３を収容するためのハンドル収容部１２ｅが設けられている。キャリングハンドル１３を後側に倒してハンドル収容部１２ｅ内に沿って収容することにより当該キャリングハンドル１３を蓋１２の上面からはみ出さない位置に収納することができる。ハンドル収容部１２ｅの中央には、使用者が指先を差し入れるための前後の逃がし凹部１２ｆが設けられている。前後の逃がし凹部１２ｆに指先を差し入れることにより当該キャリングハンドル１３を把持して前側の使用位置へ簡単に起こすことができる。
【００４３】
蓋１２の左右側部には、ベルト掛け部１２ｃが設けられている。左右のベルト掛け部１２ｃ間に肩掛けベルト（図示省略）を掛け渡すことにより使用者は当該段積みケース１０を単独で若しくは段積み状態で肩に掛けて持ち運ぶことができる。蓋１２の上面前寄りには、当該段積みケース１０の製造メーカのロゴやその他各種のマーク(目印）等を表示するためのロゴ表示部１２ｄが設けられている。ロゴ表示部１２ｄは、他の部位よりも２ｍｍ〜３ｍｍ程度低い段差形状に形成されている。ロゴ表示部１２ｄ内に、当該ロゴ等を表示したラベルを貼り付け、あるいは直接印刷し、若しくは文字や図柄を成形により表示しておくことができる。
【００４４】
ケース本体１１の前面１１Ｆの上部２箇所と、左右側面１１Ｌ，１１Ｒの上部の後側の１箇所には、ラッチ１５が設けられている。この合計４箇所に設けたラッチ１５により蓋１２が図１に示す閉じ位置にロックされる。合計４箇所のラッチ１５は、前面左右寄りと左右側部の後部寄りに配置されている。ラッチ１５は、概ね平板形状を有する樹脂成形部品で、当該段積みケース１０がクーラーボックスであるイメージを抱かせるため白色樹脂を素材として成形されている。ラッチ１５には、当該段積みケース１０の製造メーカ等に関するロゴやその他各種のマーク（目印）を表示しておくことができる。各ラッチ１５を後ろ側のロック位置へ傾動させると蓋１２が閉じ位置にロックされる。４箇所のラッチ１５による蓋１２の閉じロック機構は同様に構成されている。４箇所のラッチ１５は、ケース本体１１に設けた凹部１１ａと蓋１２に設けた凹部１２ａとに跨って収容されている。各ラッチ１５は、ケース本体１１側の凹部１１ａ内に上下変位可能かつ前後若しくは左右に傾動可能に支持されている。前側の２箇所のラッチ１５はその下部側を支点にして上部を前側へ変位させる方向に傾動させた状態で上下に変位させることができる。左右の２箇所のラッチ１５はその下部側を支点にして上部を左方又は右方へ変位させる方向に傾動させた状態で上下に変位させることができる。図１では、４箇所のラッチ１５はそれぞれ下側に変位させた状態が示されている。
【００４５】
ケース本体１１側の凹部１１ａと蓋１２側の凹部１２ａには、それぞれ２つの係合凸部１１ｂ，１２ｂが左右に横並び状態で設けられている。ケース本体１１側の２つの係合凸部１１ｂと蓋１２側の２つの係合凸部１２ｂは、それぞれ左右に同じ間隔で対をなして全て同じ寸法のブロック体形状に形成されている。
【００４６】
図では示されていないが、ラッチ１５の後面（凹部１１ａ，１２ａの底部に対向する面）には、左右一対の係合凹部が上下二段に設けられている。蓋１２を閉じた状態で、ラッチ１５を下側にスライドさせてロック側（後側）に傾動させると、その下段側の係合凹部にケース本体１１側の２つの係合凸部１１ｂが弾性的に嵌め込まれるとともに、その上段側の係合凹部に蓋１２側の係合凸部１２ｂが同じく弾性的に嵌め込まれる。これによりラッチ１５がロック位置に保持されて、蓋１２が閉じられた状態にロックされる。この閉じロック状態でラッチ１５を前方のアンロック側に傾動させれば、ケース本体１１側の係合凸部１１ｂ及び蓋１２側の係合凸部１２ｂに対する係合状態が外れて蓋１２を上方へ開放させることができる。
【００４７】
ケース本体１１の下部であって４箇所の凹部１１ａの下方には、それぞれ連結凹部１１ｃが設けられている。連結凹部１１ｃの底部には、２つの連結凸部１１ｄが左右に横並び状態で設けられている。２つの連結凸部１１ｄは、上側の２つの係合凸部１１ｂと左右同じ間隔で同じブロック体形状に形成されている。下側４箇所の連結凹部１１ｃ及び連結凸部１１ｄは、当該段積みケース１０を電源装置６０（電源ケース６１）の上に段積みした場合に、両者１０，６０を一体で取り扱うことができるように連結する機能を有している。
【００４８】
電源装置６０は、段積みケース１０の上面側に段積みして一体化させることもできる。また、図１０に示すように、段積みケース１０の上面側には別の工具ケース２０を段積みして、一体化させることができる。このように段積みケース１０と工具ケース２０は、相互に段積み状態で結合できるケースセットと捉えることができる。上側４箇所のラッチ１５により上段側の工具ケース２０が段積みケース１０に段積み状態で一体化される。工具ケース２０は、ケース本体２１と蓋２２を有し、ケース本体２１の周囲４箇所には段積み連結ケースとして対応させるためのラッチ２５を備えている。このラッチ２５にも、当該電源装置６０の製造メーカ等のロゴやその他各種のマーク(目印）を表示しておくことができる。段積みケース１０の４箇所のラッチ１５を上側へスライドさせて蓋１２側の係合凸部１２ｂと工具ケース２０側の連結凸部（図では見えていない）を弾性的に嵌め込んで係合させることにより、段積みケース１０と工具ケース２０が段積み状態で一体化される。図１０に示す状態ではラッチ２５により蓋２２が閉じ状態にロックされている。
【００４９】
なお、図示するように工具ケース２０の蓋２２の上面には、段積みケース１０と同じく、キャリングハンドル１３及びハンドル収容部１２ｅが設けられている。また、ハンドル収容部１２ｅには前後の逃がし凹部１２ｆが設けられて当該キャリングハンドル１３を前側の使用位置に簡単起こすことができるようになっている。さらに、キャリングハンドル１３の前側には、当該工具ケース２０の製造メーカ等のロゴマーク、その他各種のマーク（目印）を表示するためのロゴ表示部１２ｄが設けられている。
【００５０】
このように、上下に段積みして一体化させるための段積み連結機構であって、ラッチ１５と連結凸部１１ｄを対応する部位に備える複数の段積み可能なケースの一つについて、以下説明する種々形態の冷却機能部を備えている。図１〜図３は、第１実施形態に係る冷却機能部３０を示している。第１実施形態に係る冷却機能部３０は、ケース本体１１の左側面１１Ｌの段差部１７に設けられている。
【００５１】
冷却機能部３０は、ペルチェ素子３１の冷却機能を利用した構成を備えている。ペルチェ素子３１は、矩形平板形状を有する熱伝素子で、電圧を印加すると片面（冷却面）が冷却され、他の片面（発熱面）が発熱する性質を有している。ペルチェ素子３１自体については、公知のものを用いることができる。図２及び図３に示すようにペルチェ素子３１の冷却面側（右側面）には、アルミニウム製の冷却側ヒートシンク３２が当接されている。冷却側ヒートシンク３２はケース本体１１の左側部を貫通した状態に固定されている。ケース本体１１の内部に突き出された冷却側ヒートシンク３２の先端には冷却ファン３３が取り付けられている。ペルチェ素子３１の冷却面側の冷気が冷却側ヒートシンク３２により効率よく伝達され、冷却ファン３３により当該段積みケース１０の内部に放出される。放出される冷気により、段積みケース１０の内部（収容室Ｃ）が本実施形態では保冷室となる。
【００５２】
一方、ペルチェ素子３１の発熱面（左側面）には、同じくアルミニウム製の放熱フィン３４が当接されている。放熱フィン３４の左側部には、放熱ファン３５が取り付けられている。放熱フィン３４と放熱ファン３５は、カバー３６で覆われている。カバー３６の左側面には、多数の排気口３６ａが設けられている。図示するように発熱側には放熱フィン３４と放熱ファン３５が用いられている。放熱フィン３４と放熱ファン３５によりペルチェ素子３１の発熱が効率よく排気口３６ａを経て外部へ放出され、その結果冷却面側の冷気の放出が効率よくなされる。カバー３６の下面側から電源供給用の電源線３７が引き込まれている。この電源線３７により、ペルチェ素子３１、冷却ファン３３及び放熱ファン３５にそれぞれ電力が供給される。
【００５３】
ケース本体１１の内面と蓋１２の内面にはそれぞれ断熱材４０，４１が被覆されている。断熱材４０，４１には発泡スチロール板が用いられている。断熱材４０，４１の内面は、樹脂製の内板４０ａ，４１ａで被覆されている。断熱材４０，４１により、ケース本体１１内の収容室Ｃの保冷若しくは保温効果が高められている。また、蓋１２の内面周縁部には、断熱及び防水を目的としてシール部材４２に装着されている。蓋１２を閉じた状態でシール部材４２がケース本体１１の上面（開口周囲）に当接されることにより当該段積みケース１０の内部（収容室Ｃ）の防水性が高められ、また保冷効果が高められている。
【００５４】
第１実施形態では、ペルチェ素子３１と冷却ファン３３と放熱ファン３５に対する電力供給は、電源ケース６１内に複数個のバッテリパック７０を収容した電源装置６０を電源としてなされる。電源装置６０の詳細が図４に示されている。電源装置６０は、段積み連結機構を備えた電源ケース６１に合計１０個のバッテリパック７０を収容した構成を備えている。
【００５５】
電源ケース６１はケース本体６２と蓋６３を有している。前記段積みケース１０と同じくケース本体６２と蓋６３には、段積み連結機構が設けられている。ケース本体６２の前面上部と左右側面上部には凹部６２ａが設けられ、各凹部６２ａにはラッチ６５（図４では省略されている。図１参照）が上下に変位可能かつ傾動可能に支持されている。凹部６２ａの底部には左右一対の係合凸部６２ｂが設けられている。ケース本体６２の前面下部と左右側面下部には凹部６２ｃが設けられ、各凹部６２ｃの底部には左右一対の係合凸部６２ｄが設けられている。また、蓋６３の前面と左右側部には凹部６３ａが設けられ、各凹部６３ａの底部には左右一対の係合凸部６３ｂが設けられている。図４では見えていないが、蓋６３の上面中央にはハンドル部が設けられ、左右側部には肩掛けベルトを引き掛けるためのベルト掛け部６３ｃが設けられている。
【００５６】
上記した段積み連結機構により、電源装置６０を段積みケース１０の下段側若しくは上段側に段積みして一体化させることができる。これにより２段に段積みした段積みケース１０と電源装置６０を一体的に取り扱うことができることから、その取り扱い性及び搬送性が格段に高まり、また振動等により荷崩れしにくい段積み状態を得ることができる。
【００５７】
１０個のバッテリパック７０は、単にケース本体６２内に収納されているだけでなく、電気的に接続されて電力を出力可能な状態で収納されている。１０個のバッテリパック７０は、左右方向に４個並列に並んだ状態のバッテリパック７０の列が前後方向に２列配置され、さらにその後ろ側に２個のバッテリパック７０が左右横並び状態で整然と配置されている。ケース本体６２の左側後部付近には、電源制御装置６４が収納されている。電源制御装置６４は、ケース本体６２の当該位置に固定されている。
【００５８】
１０個のバッテリパック７０はそれぞれバッテリ取り付け部７１に取り付けられている。図５に示すように各バッテリ取り付け部７１は、ケース本体６２の底部に起立状態に設けられている。図６〜図８には、一つのバッテリパック７０が単体で示されている。バッテリパック７０は、直方体形状のバッテリケース内に複数本のセルを内装したもので、本実施形態では出力電圧１８Ｖのリチウムイオンバッテリが用いられている。このバッテリパック７０は、バッテリ取り付け部７１から取り外して、別途用意した充電器で充電することにより繰り返し使用することができる。また、このバッテリパック７０は、電動ねじ締め機や電動ドリル等の他の充電式電動工具のバッテリとしても用いられる汎用性の高いスライド取り付け形式のバッテリで、他の充電式電動工具との間で共用する（使い回す）ことができる。
【００５９】
バッテリパック７０の正面には、左右一対のレール受け部７０ａが設けられている。左右レール受け部７０ａの内側に正負の端子受け部７０ｂ，７０ｃが設けられている。正負の端子受け部７０ｂ，７０ｃ間には、充電器との間で各種の制御信号を送受信するためのコネクタ部７０ｄが配置されている。コネクタ部７０ｄの上方には、ロック爪７０ｅが設けられている。このロック爪７０ｅは、バッテリケース内に装着したばねにより正面側へ突き出す方向に付勢されている。図８に示すようにバッテリパック７０の上面には、アンロックボタン７０ｆが設けられている。このアンロックボタン７０ｆは、ロック爪７０ｅと一体に設けられている。このため、アンロックボタン７０ｆを指先で背面側へ押し下げ操作すると、ロック爪７０ｅをばね付勢力に抗して下方へ引き込む方向（アンロック側）に移動させることができる。
【００６０】
各バッテリ取り付け部７１は同様の構成を備えている。図５に示すようにバッテリ取り付け部７１は、左右一対のレール部７１ａを備えている。レール部７１ａは上下方向に延びている。両レール部７１ａの内側には正負の接続端子７１ｂ，７１ｃが配置されている。バッテリ取り付け部７１の上部に、バッテリパック７０側のロック爪７０ｅが嵌り込む係合凹部７１ｄが設けられている。図５中白抜き矢印で示すようにバッテリ取り付け部７１に対してバッテリパック７０を上方から下方へ向けてスライドさせることにより、当該バッテリ取り付け部７１に対して一つのバッテリパック７０が取り付けられる。逆にバッテリパック７０の取り付け状態において、使用者が指先でアンロックボタン７０ｆをアンロック側に押し下げ操作し、これによりロック爪７０ｅを係合凹部７１ｄから退出させた状態で、上方へスライドさせることにより当該バッテリパック７０をバッテリ取り付け部７１から取り外すことができる。
【００６１】
取り外したバッテリパック７０は、図５に示すようにその正面をバッテリ取り付け部７１側に向けた向きで下方へ移動させて左右のレール受け部７０ａにレール部７１ａを進入させることにより、バッテリ取り付け部７１に対して取り付けることができる。バッテリパック７０を下方へスライドさせてロック爪７０ｅが係合凹部７１ｄ内に弾性的に嵌り込むことにより、当該バッテリパック７０がバッテリ取り付け部７１に対して取り付けられた状態にロックされる。バッテリパック７０がバッテリ取り付け部７１に対して取り付けられると、正負の端子受け部７０ｂ，７０ｃに正負の接続端子７１ｂ，７１ｃが進入して当該バッテリパック７０がバッテリ取り付け部７１に対して電気的に接続された状態となる。なお、バッテリパック７０のコネクタ部７０ｄは、バッテリ取り付け部７１に対しては接続されない。このコネクタ部７０ｄは、当該バッテリパック７０を別途用意した充電器に取り付けて充電する場合に、充電器側に各種の制御信号を出力するために充電器側のコネクタ受け部に接続される。
【００６２】
各バッテリ取り付け部７１は、電源制御装置６４に接続されている。１０箇所のバッテリ取り付け部７１は、電源制御装置６４に接続されている。電源制御装置６４は、１０個のバッテリパック７０の各電力を統合し、逆に切り離して１８Ｖ電源と３６Ｖ電源を切り換えて出力可能とする機能を有している。電源制御装置６４の上面には、装置起動用の一つの起動ボタン６４ａと、１８Ｖ出力と３６Ｖ出力の切り替えを行うための切り替えボタン６４ｂが３つ配置されている。この電源制御装置６４から電力供給用の電源線３７が引き出されている。
【００６３】
電源装置６０から電力供給を受けて動作する冷却機能部３０は、図９に示す制御装置３８に基づいて動作制御される。制御装置３８は、電源回路基板を含む電源部３８ａと制御回路基板を含む制御部３８ｂを備えている。制御部３８ｂでは、収容室Ｃに設けた温度センサ３８ｃによりなされる温度管理に基づいて、ペルチェ素子３１への電力供給及び冷却ファン３３と放熱ファン３５への電力供給が制御される。
【００６４】
以上のように構成した第１実施形態の段積みケース１０によれば、ペルチェ素子３１を主体とする冷却機能部３０によりその内部を冷却（保冷）することができる。このため、段積みケース１０内に飲料水や食料等の保冷状態で収納しておくことができる。また、段積みケース１０は、その上段側若しくは下段側に工具ケース２０や電源装置６０を段積み状態で一体化して持ち運ぶことができる。このことから、電動工具及びその周辺機器を用いる作業場へ、飲食料品等を保冷状態で持ち運ぶ際の利便性を高めることができ、この点で従来の段積み可能なケースの活用範囲を広げることができる。
【００６５】
また、冷却機能部３０は、広く市販されているペルチェ素子３１の冷却機能を用いて当該段積みケース１０の内部を冷却する構成であることから、大きなコストアップを招くことなく、当該段積みケース１０に冷却機能を持たせることができる。さらに、冷却機能を有しない従来の段積みケースに容易に後付けすることができる。
【００６６】
また、第１実施形態の冷却機能部３０は、ねじ締め機等の充電式電動工具の電源として用いられるバッテリパック７０を電源として流用する構成であることから、当該段積みケース１０に工具ケース２０を段積み状態で一体化して持ち運ぶ場合に、バッテリパック７０を双方の電源として共用することができ、この点で当該段積みケース１０の利便性を一層高めることができる。
【００６７】
また、複数個のバッテリパック７０（直流電源）を収容した電源装置６０を電源として利用する構成であることから、交流電源用のコンセントがない屋外等においても、当該段積みケース１０の冷却機能を利用することができる。さらに、バッテリパック７０は充電することにより繰り返し使用することができ、この点で当該段積みケース１０の利便性を一層高めることができる。
【００６８】
第１実施形態の段積みケース１０には種々変更を加えることができる。図１１〜図１３には第２実施形態の段積みケース５０が示されている。第２実施形態の段積みケース５０は、冷却機能部５１がケース本体１１内に内装されている点で、外付けした第１実施形態の冷却機能部３０とは異なっている。同様の部材及び構成については同位の符号を付してその説明を省略する。
【００６９】
第１実施形態と同じく、第２実施形態の段積みケース５０は、電源装置６０の上に段積み状態で結合されている。第２実施形態の段積みケース５０は、ケース本体１１と蓋１２を有し、ケース本体１１の周囲４箇所には段積み連結ケースとして対応させるためのラッチ１５を備えている。
【００７０】
図１２及び図１３に示すようにケース本体１１の内部は、断熱材５２で区画されている。蓋１２の内面にも断熱材５３が被覆されている。断熱材５２，５３で区画された室が収容室Ｃとなる。ケース本体１１側の断熱材５２と蓋１２側の断熱材５３にはそれぞれ樹脂製の内板５２ａ，５３ａが被覆されている。蓋１２側の断熱材５３にはシール部材５４が取り付けられている。蓋１２を閉じた状態では、このシール部材５４が断熱材５２の上面に当接されることにより収容室Ｃの保冷及び防水がなされる。
【００７１】
ケース本体１１の内部であって、断熱材５２の区画部５２ｂにより収容室Ｃとは隔てられた機能室Ｋに冷却機能部５１が内装されている。第２実施形態の冷却機能部５１はペルチェ素子５５、冷却側ヒートシンク５６、冷却ファン５７、放熱フィン５８及び放熱ファン５９を備えている。機能室Ｋの左側部（ケース本体１１の左側部）には、多数の排気口５９ａが設けられている。
【００７２】
冷却側ヒートシンク５６と冷却ファン５７は断熱材５２の区画部５２ｂに保持されている。冷却ファン５７前方であって、区画部５２ｂの右側部に、冷気吹き出し口５７ａが設けられている。この冷気吹き出し口５７ａを経てペルチェ素子５５により発生する冷気が冷却ファン５７により収容室Ｃ内に吹き出される。
【００７３】
第２実施形態の段積みケース５０によれば、冷却機能部５１がケース本体１１内に内装されており、第１実施形態のように左側部にはみ出さない構成であることから、当該段積みケース５０のコンパクト化を図ることができる。
【００７４】
図１４には、第３実施形態の段積みケース８０が示されている。第３実施形態の段積みケース８０は、第１及び第２実施形態における電源装置６０を必要としない構成を備えている。第３実施形態の段積みケース８０は、第２実施形態における機能室Ｋ内に電源を取り付け可能な構成を備えている。変更を要しない部材及び構成については同位の符号を用いてその説明を省略する。機能室Ｋ内には、第２実施形態と同じく冷却機能部５１が収容されている。
【００７５】
機能室Ｋ内において、冷却機能部５１の上方に、バッテリ取り付け部８１が設けられている。このバッテリ取り付け部８１に一つのバッテリパック７０が取り付けられている。第３実施形態における冷却機能部５１はこのバッテリパック７０を電源として動作する。なお、電源としてバッテリパック７０を複数個取り付ける構成としてもよい。バッテリ取り付け部８１には、前記電源装置６０におけるバッテリ取り付け部７１と同じ構成のものが用いられている。従って、バッテリパック７０には、当該段積みケース８０に段積みした他のケース（工具ケース２０、電源装置６０）のバッテリパック７０をそのまま利用することができる。蓋１２を開放した状態で、バッテリパック７０をバッテリ取り付け部８１に対して取り付け、取り外しすることができる。バッテリパック７０は、バッテリ取り付け部８１に対して下方にスライドさせて取り付けることができ、逆に上方へスライドさせて取り外すことができる。第３実施形態では、冷却機能部５１とバッテリ取り付け部８１が一つのユニット（冷却ユニット）として、機能室Ｋ内に組み込まれた構成となっている。
【００７６】
第３実施形態の段積みケース８０によれば、冷却機能部５１が機能室Ｋ内に収容されて側方へはみ出さないことから、当該段積みケース８０のコンパクト化（スリム化）を図ることができるとともに、電源装置６０を用いた場合に比して大幅に軽量化を図ることができ、これにより当該段積みケース８０を楽に持ち運ぶことができるようになる。電源装置６０を電源として用いる場合（第１、第２実施形態）は、冷却機能部３０，５１を長時間稼働させることができる。これに対して、短時間の保冷で足りる場合には、第３実施形態の段積みケース８０を用いることにより大幅に軽量化されて、持ち運び時の利便性を一層高めることができる。
【００７７】
また、第３実施形態の段積みケース８０によれば、冷却機能部５１と電源（バッテリパック７０とバッテリ取り付け部８１）がユニット化されて、一つの冷却ユニットとして機能室Ｋ内に収容された構成となっている。このことから、第３実施形態によれば、当該冷却ユニットを他の段積みユニットに追加装備（後付け）し、あるいは機能室Ｋから取り外す際の取り扱い性を高めることができる。第３実施形態の段積みケース８０に前記例示した電源装置６０を段積みすることにより、当該電源装置６０をバックアップ電源として利用することができ、逆に電源装置６０を主電源として、機能室Ｋ内のバッテリパック７０をバックアップ電源として機能させることができる。
【００７８】
図１５及び図１６には、第４実施形態の段積みケース９０が示されている。第１〜第３実施形態と同じ構成及び部材については同位の符号を付してその説明を省略する。この段積みケース９０は、第１実施形態の冷却機能部３０若しくは第２実施形態の冷却機能部５１を省略した構成を備えている。このため、第４実施形態の段積みケース９０は、ペルチェ素子３１を備えていない。第４実施形態の段積みケース９０は、冷却機能部としてケース本体１１の内面と蓋１２の内面をそれぞれ断熱材９１，９２で被覆した構成を備えている。断熱材９１，９２には、第１〜第３実施形態と同じ素材の断熱材が用いられている。ケース本体１１側の断熱材９１の表面は内板９１ａで覆われ、蓋１２側の断熱材９２の表面は内板９２ａで覆われている。図１８に示すように蓋１２側の内板９２ａの四隅はクリップ９４により留められている。クリップ９４は、２つの爪部９４ａを備えている。クリップ９４を蓋１２の係合孔１２ｍに圧入（押し込んで）２つの爪部９４ａを係合孔１２ｍの内面に係合させることにより内板９２ａが固定される。内板９２ａの四隅が蓋１２（外板）に対してクリップ９４で固定されることにより断熱材９２の防水及び脱落防止がなされている。なお、図２６に示すようにクリップ９４に代えて一つの爪部９８ａを有するクリップ９８を用いて内板９２ａを蓋１２（外板）に対して固定する構成としてもよい。
【００７９】
蓋１２の内面には、第１及び第２実施形態と同じくシール部材９３が取り付けられている。シール部材９３は、クリップ９４の外周側であって、内板９２ａの内面周縁部に沿って取り付けられている。蓋１２を閉じた状態でシール部材９３が断熱材９１の上面に当接されることにより、ケース本体１１内部（収容室Ｃ）の防水性が高められ、また内部の保冷若しくは保温効果が高められている。内板９２ａの中央には、当該段積みケース９０の製造メーカ等のロゴマーク等その他各種のマーク（目印）を文字や図柄等で表示しておくことができる。文字や図柄等は、ラベルを貼り付けたり、直接印刷したり、成形により表示することができる。
【００８０】
第４実施形態の段積みケース９０は、第１及び第２実施形態と同じく、他のケースを段積みして、若しくは他のケースに段積みして一体に連結するための段積み連結機構であって、ラッチ１５及び連結凸部１１ｄを備えている。このため、第４実施形態の段積みケース９０は、その上面側若しくは下面側、あるいはその双方に他の段積み用のケースを段積みした状態で一体化させることができる。
【００８１】
第４実施形態の段積みケース９０によれば、断熱材９１，９２により外部とは断熱されたケース本体１１の内部に飲料水や食品等を収容しておくことにより、これらの保冷若しくは保温を行うことができる。この段積みケース９０を、電動工具やその周辺機器を収容した工具ケース２０（他の段積みケース）と、段積み状態で一体化させて持ち運ぶことができる。この点で、電動工具やその周辺機器を用いる作業場へ、飲食料品等を保冷又は保温状態で持ち運ぶ際の利便性を高めることができ、この点で当該段積みケース９０の活用範囲を広げることができる。
【００８２】
図１７には、第５実施形態の段積みケース９５が示されている。第５実施形態の段積みケース９５は、第４実施形態の段積みケース９０に、循環ファン９６を設けた構成となっている。循環ファン９６は、ケース本体１１の内部に支持されている。ケース本体１１の左側部には、バッテリ取り付け部９７が設けられている。このバッテリ取り付け部９７に一つのバッテリパック７０を取り付けることができる。循環ファン９６はこのバッテリパック７０を電源として動作する。
【００８３】
第５実施形態の段積みケース９５によれば、保冷剤を収容室Ｃに収容してその冷気を循環ファン９６により循環させることにより収容室Ｃ内を急速に冷却することができる。また、温度センサによりケース本体１１内の温度を検知して、循環ファン９６をオンオフさせることにより、断熱材９１，９２の保冷若しくは保温効果を長時間維持してケース本体１１内の保冷若しくは保温状態を保持することができる。バッテリパック７０には、前記各実施形態と同じく段積みした工具ケース２０に収容した電動工具のバッテリパックを流用することができる。
【００８４】
図１９及び図２０には第６実施形態の段積みケース１００が示され、図２５には第７実施形態の段積みケース１１０が示されている。第６実施形態の段積みケース１００及び第７実施形態の段積みケース１１０は、前記した第４及び第５実施形態の段積みケース９０，９５における蓋１２のシール性をより高めた構成を備えている。第４及び第５実施形態の段積みケース９０，９５に対して変更を加えた構成についてのみ説明する。同様の部材及び構成については同位の符号を用いてその説明を省略する。
【００８５】
蓋１２の内面（内板９２ａ）には、収容室Ｃの開口側のほぼ全域にわたって入り込む段差部１２ｈが設けられている。この段差部１２ｈ内にも断熱材９２が隙間なく内装されている。図２０に示すように蓋１２を閉じると、段差部１２ｈが収容室Ｃの開口に嵌まり込んで当該開口がそのほぼ全域にわたって塞がれる。これにより、開口側に入り込む部位を有しない、前記第５実施形態の段積みケース９５よりも当該蓋１２のシール性が高められている。図１９に示すように段差部１２ｈの中央には、当該段積みケース１００の製造メーカ等を表示するロゴマークあるいはその他各種の記号等を表示するためのロゴ表示部１２ｉが設けられている。内板９２ａの成形時に当該ロゴ表示部１２ｉにロゴマーク等を成形しておくことができる。ロゴマークの凹凸は、例えば１ｍｍ〜２ｍｍ程度に比較的浅く成形し、かつ面取りを大きく成形することにより、当該ロゴマークに汚れが付着しにくいようにすることができ、これにより収容室Ｃ内の清潔感を高めることができる。また、蓋１２の内側にロゴマークが表示されることにより、当該蓋１２を開けた状態においても、当該段積みケース１００の製造メーカ等について使用者等にアピールすることができる。なお、蓋１２を閉じた状態では、外面側のロゴ表示部１２ｄにより製造メーカ等のロゴマークを使用者等にアピールすることができる。
【００８６】
この段差部１２ｈの外周側に沿って断面矩形のパッキン１０１が取り付けられている。図２０及び図２１に示すようにパッキン１０１は、蓋１２を閉じるとケース本体１１の開口上面に押圧されて、ケース本体１１の内部（収容室）のシール性（防水性、気密性）が確保される。図２２に示すようにケース本体１１の開口上面には、係合凸部９１ａｂが設けられている。蓋１２を閉じると、パッキン１０１の下面に沿って係合凸部９１ａｂが押し付けられてめり込むことにより当該パッキン１０１が断面二股形状に変形し、これによりシールが二重でなされて高いシール性が確保されるようになっている。なお、パッキン１０１は図２７に示すパッキン１０４に変更してもよい。図２７に示すパッキン１０４は、断面二股形状に形成されている。この場合、係合凸部９１ａｂを省略することができる。断面二股形状に成形されたパッキン１０４によっても、蓋１２を閉じることによりシールが二重でなされてケース本体１１の内部のシール性を高めることができる。さらに、断面矩形若しくは断面二股形状のパッキン１０１，１０４に代えて断面円形のパッキンを用いることもできる。
【００８７】
図２１に示すようにケース本体１１の開口上面（内板９１ａの上面）は、外側へ段階的に低くなる段付き形状に形成されている。ケース本体１１の開口上面であって、最も低い外周部には、シール部材１０２が取り付けられている。シール部材１０２は、矩形をなす開口上面の全周にわたって取り付けられている。シール部材１０２は、内板９１ａの端縁に沿って取り付けられている。このシール部材１０２によって、内板９１ａの端縁とケース本体１１（外板）との間の隙間が塞がれて断熱材９１の防水がなされている。
【００８８】
シール部材１０２は、開口上面の後側においては、段付き形状の最も高い部位に沿って取り付けられている。これに対して、開口上面の左右側部においては、段付き形状の最も低い部位に沿って取り付けられている。このため、シール部材１０２は左右のラッチ１５付近において、図２３に示すように取り付け高さが前側へ低くなる方向に傾斜する状態で取り付けられている。図１９及び図２３においてこの傾斜部に符号１０２ａを付した。
【００８９】
図１９に示すように蓋１２の前部及び左右側部には、それぞれ複数のリブ１０３が設けられている。図では前部に２つのリブ１０３が設けられ、左右側部にそれぞれ４つのリブ１０３が設けられた状態が示されている。図２５に示すように蓋１２を閉じると、この複数のリブ１０３がいずれもシール部材１０２の上方に位置する。複数のリブ１０３によってシール部材１０２上方への抜け出しが防止されて、当該シール部材１０２によるシール性（内板９１ａの端部の防水性）が維持される。
【００９０】
第６実施形態では、ケース本体１１の断熱材９１及び蓋１２の断熱材９２の変形及び位置ずれを防止するための工夫がなされている。図２４に示すようにケース本体１１の内板９１ａには、リブ９１ａａが複数個所に設けられている。リブ９１ａａは、内板９１ａの底部の他、前面部、後面部及び左右側部に適宜間隔をおいた複数個所に設けられている。このリブ９１ａａにより断熱材９１の変形及び位置ずれが防止されてその断熱性が維持される。
【００９１】
ケース本体１１（外板）の下面には、断熱材９１側に膨らむ３つの凹部１１ｅが設けられている。３つの凹部１１ｅは、前後方向に長く形成されている。各凹部１１ｅに断熱材９１の下面が凹凸係合されて当該断熱材９１の位置ずれが防止されてその断熱性が維持される。なお、図１６に示すように第４実施形態の段積みケース９０の底面にも、同様の機能を有する３つの凹部１１ｅが設けられている。
【００９２】
図１７に示す第５実施形態の段積みケース９５及び図２５に示す第７実施形態の段積みケース１１０の下面には、同じく断熱材９１側に膨らむループ形の凹部１１ｆが設けられている。ループ形に膨らんだ凹部１１ｆに断熱材９１が凹凸係合されることにより当該断熱材９１の位置ずれが防止されてその断熱性が維持される。なお、凹部１１ｆの形状については上記例示したようにループ形に代えて、Ｘ字形あるいはＨ形等の他の形状に設ける構成としてもよい。
【００９３】
図２５に示すように第７実施形態の段積みケース１１０の底面には、下方に突き出す左右の脚部１１ｇが設けられている。左右の脚部１１ｇは前後方向に長く延びている。左右の脚部１１ｇは、ループ形の凹部１１ｆの外周側に設けられている。左右の脚部１１ｇに対応して、蓋１２の上面には左右の逃がし凹部１２ｋが設けられている。当該段積みケース１１０の上段側に段積みした他の段積みケースの脚部１１ｇを逃がし凹部１２ｋに進入させることにより、当該上段側の段積みケースを隙間なくかつ左右方向に位置決めした状態で段積みすることができる。
【００９４】
前記したように蓋１２の上面（外板）には、キャリングハンドル１３を収容するためのハンドル収容部１２ｅと逃がし凹部１２ｆが設けられている。ハンドル収容部１２ｅと逃がし凹部１２ｆは、断熱材９２側に凸となる向きに設けられている。断熱材９２がハンドル収容部１２ｅと逃がし凹部１２ｆに凹凸係合されることにより当該断熱材９２の変形及び位置ずれが防止されてその断熱性が維持される。
【００９５】
また、図２０，２１，２５に示すように蓋１２の上面（外板）には、断熱材９２側に張り出すリブ１２ｇが複数個所（本実施形態では４箇所）に設けられている。複数個所のリブ１２ｇを断熱材９２に設けた溝部に進入させておくことにより、当該断熱材９２の変形及び位置ずれを防止することができ、これにより当該段積みケース１００の断熱性を維持することができる。
【００９６】
図１７及び図２５に示すように蓋１２の上面（外板）に設けたロゴ表示部１２ｄの周囲は一段高く形成されて段部１２ｊが設けられている。段部１２ｊの内側にも断熱材９２が隙間なく内装されている。
【００９７】
以上説明した第６及び第７実施形態の段積みケース１００，１１０は、第４実施形態の段積みケース９０と同じく冷却機能部としてケース本体１１の内面と蓋１２の内面をそれぞれ断熱材９１，９２で覆った構成を備えている。第６及び第７実施形態の段積みケース１００，１１０は、断熱材９１，９２により収容室Ｃ内の保冷状態若しくは保温状態を維持することができる。このため、上段側若しくは下段側に、例えば電源装置６０や工具ケース２０等の他のケースを段積みして一体に連結した状態で当該段積みケース１００，１１０内に飲料水や食品等を収容して持ち運ぶことができ、この点で当該段積みケース１００，１１０の適用範囲を拡大することができる。
【００９８】
図２５に示すように第７実施形態の段積みケース１１０では、飲料水や食料品等に代えて電動工具Ｔを収容して持ち運ぶことができる。図では電動工具Ｔとして携帯形のマルノコが例示されている。図示するように電動工具Ｔを収容する場合には、収容室Ｃ内での移動若しくは転倒を防止するために専用の収容台１１１を設置しておくことができる。このように第６及び第７実施形態に係る段積みケース１００，１１０によれば、その保冷若しくは保温機能を利用して飲食良品等を他のケースと段積み状態で持ち運ぶことができる他、電動工具Ｔやその周辺機器等を収容して他のケースと段積み状態で持ち運ぶことができる。
【００９９】
以上説明した各実施形態にはさらに変更を加えて実施することができる。例えば、ペルチェ素子３１に供給する電力の正負を例えばスイッチ操作により切り換え可能とすることにより、ケース本体１１内の保冷と保温を切り替えることができ、これにより当該段積みケース１０の利用範囲を一層広げることができる。
【０１００】
また、例示した第１及び第２実施形態の段積みケース１０，５０では、その下段側に電源装置６０を段積みし、上段側に他の工具ケース２０を段積みする場合を例示したが、上下逆に段積みすることもできる。
【０１０１】
さらに、第３実施形態において、一つのバッテリパック７０を電源として取り付け可能なユニット形の冷却機能部５１を例示したが、複数個のバッテリパックを取り付け可能なユニット形の冷却機能部としてもよい。
【０１０２】
また、例示したように内部を保冷若しくは保温する機能を有する段積みケース１０，５０，８０，９０，９５を２つ以上段積みして持ち運ぶことができる。この場合、例示した段積みケース１０，５０，８０，９０，９５を、果物や冷凍食品等の食料品あるいは飲料水を保冷若しくは保温状態で運搬するケースとして利用することができ、必ずしも電動工具やその周辺機器を主要した工具ケース２０と段積みして用いる場合に限定されない。
【０１０３】
さらに、第１及び第２実施形態において、電源装置６０は、冷却機能部３０，５１に電力を供給する専用電源とする構成を例示したが、同じく段積みした工具ケース２０の電動工具等その他の電気機器の電源としても使用可能とすることができる。
【０１０４】
また、電源装置６０には、バッテリパックを充電するための充電機能（充電器）を内装しておくことができる。この場合、充電機能に電源を供給するための電源としては例えば商用１００Ｖ電源を電源コードを経て供給する構成とすることができる。
【０１０５】
図２８及び図２９には、第８実施形態の段積みケース１２０が例示されている。第８実施形態に係る段積みケース１２０は、第１〜第３実施形態にさらに変更を加えた構成を備えている。第１実施形態に係る段積みケース１０は、冷却機能部３０をケース本体１１の側部に外付け状態で備え、電源装置６０の上段側に段積みする構成を備えている。第２実施形態に係る段積みケース５０は、冷却機能部５１をケース本体１１に内装し、電源装置６０の上段側に段積みする構成を備えている。第３実施形態に係る段積みケース８０は、冷却機能部５１と電源としてのバッテリパック７０を、ケース本体１１の内部に区画形成した機能室Ｋ内に内装した構成を備えている。
【０１０６】
第８実施形態の段積みケース１２０は、第４実施形態として例示した段積みケース９０の下面側に段積み装置１３０を段積み状態で結合可能な構成を備えている。段積みケース１２０には、第４実施形態の段積みケース９０と同様の保温、保冷機能を有している。変更を要しない部材及び構成については同位の符号を用いてその説明を省略する。
【０１０７】
段積みケース１２０の下面側に段積み状態で結合される段積み装置１３０は、ケース本体１３１と蓋１３２を備えている。ケース本体１３１内に、冷却機能部１３５と電源としてのバッテリパック７０が内装されている。ケース本体１３１は、第１実施形態に係る電源装置６０の電源ケース６１と同じく、段積みケース１２０よりも底浅で矩形の箱体形状を有している。段積み装置１３０は、ケース本体１３１を蓋１３２で閉止した状態で段積みケース１３０の下面側に結合されている。蓋１３２の閉止状態及び段積みケース１３０に対する結合状態は、第１実施形態と同じく４か所のラッチ６５がそれぞれ係合凸部６３ｂ、連結凸部１１ｄに嵌め込み係合されることにより保持される。ラッチ６５は、段積みケース１２０と段積み装置１３０とを段積み状態に結合するための手段（段積み結合手段）として機能する。
【０１０８】
図２９に示すようにケース本体１３１の左側部内面に、スライド取り付け形式のバッテリ取り付け部１３３が設けられている。このバッテリ取り付け部１３３に一つのバッテリパック７０を取り付けることができる。バッテリ取り付け部１３３に対して上方から下方へ向けてスライドさせることにより、このバッテリ取り付け部１３３にバッテリパック７０が取り付けられる。取り付けたバッテリパック７０は上方へスライドさせることにより、バッテリ取り付け部１３３から取り外すことができる。
【０１０９】
ケース本体１３１の後部内面には２つの放熱ファン１３４が同軸に取り付けられている。ケース本体１３１の後部には、多数の排気口１３１ａが設けられている。放熱ファン１３４の回転により、ケース本体１３１内の熱気が排気口１３１ａを経て外部へ排気される。図２８に示すようにケース本体１３１の前部には、多数の吸気口１３１ｂが設けられている。吸気口１３１ｂを経てケース本体１３１内に外気が導入される。
【０１１０】
図２９に示すように蓋１３２の内面中央にヒートシンク１３７が取り付けられている。ヒートシンク１３７の上面中央にペルチェ素子１３８が取り付けられている。ペルチェ素子１３８の加熱側がヒートシンク１３７の上面に当接され、冷却側が上方へ向けられている。ペルチェ素子１３８の冷却側にバッテリパック７０の電力が供給される。第８実施形態では、段積み装置１３０を冷却装置として機能させる構成を例示する。ペルチェ素子１３８の上方であって、蓋１３２の中央には矩形の挿通孔１３２ａが設けられている。
【０１１１】
図２９に示すように蓋１３２の挿通孔１３２ａには、段積みケース１２０の下面中央に設けた放熱ブロック体１２１が挿通される。図示するように段積み装置１３０の上面側に段積みケース１２０を段積みする際に、この放熱ブロック体１２１が挿通孔１３２ａに差し込まれる。差し込まれた放熱ブロック体１２１は、図示するようにペルチェ素子１３８の上面に当接される。当接されることにより、ペルチェ素子１３８と放熱ブロック体１２１との間で効率よく熱が伝達される。
【０１１２】
放熱ブロック体１２１は、段積みケース１２０の底部に敷設した放熱板１２２の下面中央に一体に設けられている。放熱板１２２は、熱伝導率が高い金属板（鉄板）で、段積みケース１２０の底部のほぼ全領域にわたる面積を有して、内板９１ａの上面に沿って重ね合わされている。放熱ブロック体１２１は、段積みケース１２０の底部及び内板９１ａを貫通して、段積みケース１２０の下面から下方へ向けて突き出されている。段積み装置１３０の上面側に段積みケース１２０を段積みする際に、この突き出し部分が挿通孔１３２ａを経て段積み装置１３０の本体ケース１３１内に進入される。段積み結合手段としてのラッチ６５を連結凸部１１ｄに係合させて段積み装置１３０と段積みケース１２０とを段積み状態に結合すると、放熱ブロック体１２１がペルチェ素子１３８の上面に突き当てられた状態となる。
【０１１３】
図３０及び図３１には、第８実施形態の段積み装置１３０に変更を加えた第９実施形態の段積み装置１４０が示されている。第９実施形態において、段積み装置１４０の上面側に段積み状態で結合される段積みケース１２０は第８実施形態と同様の構成を有している。同様の部材及び構成については同位の符号を用いてその説明を省略する。段積み装置１４０は、底浅矩形のケース本体１３１と蓋１３２を有している。
【０１１４】
ケース本体１３１の左側部の内側には、上下スライド取り付け形式のバッテリ取り付け部１３３が２つ横並び状態で設けられている。両バッテリ取り付け部１３３にそれぞれ１つのバッテリパック７０が取り付けられている。ケース本体１３１に内装された第４実施形態に係る冷却機能部１４１は、圧縮器１４２と凝縮（放熱）器１４３と冷却ファン１４４と減圧バルブ１４５と冷却ブロック１４６を備えている。第９実施形態では、熱源（冷却源）としてペルチェ素子１３８に代えて熱交換システムが用いられている。圧縮器１４２がバッテリパック７０の電力により作動して冷媒が圧縮器１４２から凝縮器１４３及び減圧バルブ１４５を経て冷却ブロック１４６に循環されることにより、冷却ブロック１４６が冷却される。
【０１１５】
図３０に示すように段積み装置１４０の上面側に段積みケース１２０を段積み状態に結合することにより、冷却ブロック１４６の上面に、段積みケース１２０側の放熱ブロック体１２１が突き当てられている。冷却機能部１４１が作動して冷却ブロック１４６が冷却されることにより、放熱ブロック体１２１及び放熱板１２２が冷却され、これにより段積みケース１２０内の収容室Ｃが強制的に冷却され若しくは保冷される。
【０１１６】
以上のように構成した第８及び第９実施形態の段積み装置１３０，１４０によれば、電源としてのバッテリパック７０と、冷却機能部１３５，１４１が、１つのケース本体１３１内に収容されてユニット化されている。このため、段積みケース１２０の収容室Ｃの容積を大きく確保することができる。
【０１１７】
また、第８及び第９実施形態段積みケース１２０によれば、段積み装置１３０、１４０を結合しない単独での状態では、第４実施形態の段積みケース９０と同じく断熱性の高いクーラーボックスとして利用することができる。段積みケース１２０の下面側に段積み装置１３０を段積み状態に結合すれば、ペルチェ素子１３８を熱源とする冷却機能部１３５若しくは熱交換による冷却機能部１４１により当該段積みケース１２０の内部（収容室Ｃ）を強制的に冷却若しくは保冷することができる。
【０１１８】
さらに、既存の段積みケースに放熱板１２２及び放熱ブロック体１２１を追加することにより、第８若しくは第９実施形態に係る段積み装置１３０，１４０を利用することができ、この点で後付け可能で汎用性が高く低コストな段積み装置１３０，１４０とすることができる。第８及び第９実施形態では、段積み装置１３０，１４０を冷却装置として機能させる構成を例示したが、ペルチェ素子の電力供給側を変更等することにより、保温装置として機能させる構成、あるいは保温機能若しくは保冷機能を切り替えて利用可能な構成とすることができる。
【０１１９】
また、以上例示した第８及び第９実施形態において、冷却機能部１３５，１４１とバッテリ取り付け部１３３を収容した段積み装置１３０，１４０として、段積みケース１２０とは別にユニット化した構成を例示し、あるいは前記第１〜第７実施形態では、冷却機能部３０，５１とバッテリ取り付け部８１，９７をケース本体１１に外付けし、若しくは内装した構成を例示したが、これらを蓋１２に内装若しくは外付けした構成としてもよい。図３２には、段積みケース１０（５０，８０，９０，９５，１００，１１０，１２０）の蓋１２に、ペルチェ素子を主体とする冷却機能部と電源としてのバッテリパック７０を取り付けるためのバッテリ取り付け部を収容した第１０実施形態の段積みケース１５０が示されている。
【０１２０】
第１０実施形態の段積みケース１５０は、ケース本体１１と蓋１２を備えている。ケース本体１１は前記各実施形態と同様の構成を有している。変更を要しない部材及び構成については同位の符号を用いてその説明を省略する。図では見えていないが、第１０実施形態の段積みケース１５０についても、前記例示した段積み結合手段としてのラッチ１５を備えている。このため、第１０実施形態の段積みケース１５０の上段側あるいは下段側に他の段積みケース（工具ケース、クーラーボックス）を段積み状態で結合することができる。
【０１２１】
蓋１２の内部空間には、前記例示した断熱材４１に代えて冷却機能部１５１とバッテリ取り付け部１５２が収容されている。冷却機能部１５１は、蓋１２の内面に沿って取り付けた冷却板１５６と、冷却板１５６の上面中央に一体に設けた冷却ブロック体１５５を備えている。冷却ブロック体１５５の左右両側面にそれぞれ一つのペルチェ素子１５４が取り付けられている。両ペルチェ素子１５４の冷却側が冷却ブロック体１５５の側面に当接されている。両ペルチェ素子１５４の放熱側にはそれぞれ放熱フィン１５３が接合されている。
【０１２２】
両ペルチェ素子１５４の冷却側にバッテリパック７０の電源が供給される。バッテリパック１５４は、蓋１２の内部に設けたバッテリパック１５２に取り付けられる。蓋１２の上面に冷却スイッチ１５８が設けられている。冷却スイッチ１５８をオン操作すると、ペルチェ素子１５４の冷却側にバッテリパック７０の電力が供給されて、放熱ブロック体１５５が冷却される。放熱ブロック体１５５が冷却されることにより放熱板１５６が冷却される。放熱板１５６が冷却されることにより、その冷気がケース本体１１の収容室Ｃ内に放出されて冷却される。冷却スイッチ１５８をオフ操作すると、ペルチェ素子１５４への電力供給が遮断されて放熱板１５６からの冷気の放出が停止される。放熱フィン１５３から放出された熱気は、冷却ファン１５７により蓋１２の外部に放出される。
【０１２３】
以上のように構成した第１０実施形態の段積みケース１５０によれば、冷却機能部１５１とバッテリ取り付け部１５２が蓋１２の内部に設置されていることから、ケース本体１１の収容室Ｃについて大容量化を図ることができる。また、収容室Ｃに出っ張りをなくして見た目すっきりと構成することができる。さらに、冷却機能部１５１とバッテリ取り付け部１５２を内装した蓋１２をケース本体１１から分離して、別のケース本体に取り付け可能とすることにより、当該蓋１２を使い回して後付けすることにより例えば深さの異なる種々サイズのケース本体をクーラーボックスまたはホットボックスとして利用できるようになって当該段積みケースの付加価値を一層高めることができる。
【０１２４】
上記例示した第１０実施形態において、蓋１２内に冷却機能部１５１のみを配置して、電源については第１実施形態で例示した電源装置６０を段積みケース１５０の上段側若しくは下段側に段積み結合する構成としてもよい。これにより蓋１２の軽量化を図るとともに、冷却機能部１５１に対して十分な電源供給を行うことができるようになる。
【０１２５】
また、第１０実施形態では、ペルチェ素子１５４の冷却側に電力供給して段積みケース１５０をクーラーボックスとして用いる構成を例示したが、加熱側に電力供給して当該段積みケース１５０を保温庫（ホットボックス）として用いる構成としてもよい。また、ペルチェ素子１５４に対する電力供給側を冷却側と加熱側で切り替え可能とすることにより、当該段積みケース１５０をクーラーボックスとホットボックスに切り替えて利用することができるようになる。
【符号の説明】
【０１２６】
１０…段積みケース（第１実施形態）
１１…ケース本体
１１Ｆ…前面、１１Ｌ…左側面、１１Ｒ…右側面
１１ａ…凹部、１１ｂ…係合凸部、１１ｃ…連結凹部、１１ｄ…連結凸部
１１ｅ…凹部、１１ｆ…凹部、１１ｇ…脚部
１２…蓋
１２ａ…凹部、１２ｂ…係合凸部、１２ｃ…ベルト掛け部、１２ｄ…ロゴ表示部
１２ｅ…ハンドル収容部、１２ｆ…逃がし凹部、１２ｇ…リブ、１２ｈ…段差部
１２ｉ…ロゴ表示部、１２ｊ…段部、１２ｋ…逃がし凹部、１２ｍ…係合孔
１３…キャリングハンドル
１５…ラッチ
１６…段差部（前面１１Ｆ）
１７…段差部（左側面１１Ｌ）
１８…段差部（右側面１１Ｒ）
２０…工具ケース
２１…ケース本体
２２…蓋
２５…ラッチ
Ｃ…収容室（保冷室／保温室）
３０…冷却機能部
３１…ペルチェ素子
３２…ヒートシンク（冷却側）
３３…冷却ファン
３４…放熱フィン
３５…放熱ファン
３６…カバー、３６ａ…排気口
３７…電源線
３８…制御装置、３８ａ…電源部、３８ｂ…制御部、３８ｃ…温度センサ
４０…断熱材（ケース本体１１側）、４０ａ…内板
４１…断熱材（蓋１２側）、４１ａ…内板
４２…シール部材
５０…段積みケース（第２実施形態）
５１…冷却機能部
Ｋ…機能室
５２，５３…断熱材、５２ａ，５３ａ…内板、５２ｂ…区画部
５４…シール部材
５５…ペルチェ素子
５６…ヒートシンク（冷却側）
５７…冷却ファン、５７ａ…冷気吹き出し口
５８…放熱フィン（放熱側）
５９…放熱ファン、５９ａ…排気口
６０…電源装置
６１…電源ケース
６２…ケース本体
６２ａ…凹部、６２ｂ…係合凸部、６２ｃ…凹部、６２ｄ…係合凸部
６３…蓋
６３ａ…凹部、６３ｂ…係合凸部、６３ｃ…ベルト掛け部
６４…電源制御装置
６４ａ…起動ボタン、６４ｂ…切り替えボタン
６５…ラッチ
７０…バッテリパック
７０ａ…レール受け部、７０ｂ…端子受け部（正）、７０ｃ…端子受け部（負）
７０ｄ…コネクタ部、７０ｅ…ロック爪、７０ｆ…アンロックボタン
７１…バッテリ取り付け部
７１ａ…レール部、７１ｂ…接続端子（正）、７１ｃ…接続端子（負）
７１ｄ…係合凹部
８０…段積みケース（第３実施形態）
８１…バッテリ取り付け部
９０…段積みケース（第４実施形態）
９１，９２…断熱材、９１ａ，９２ａ…内板、９１ａａ…リブ、９１ａｂ…係合凸部
９３…シール部材
９４…クリップ、９４ａ…爪部
９５…段積みケース（第５実施形態）
９６…循環ファン
９７…バッテリ取り付け部
９８…クリップ、９８ａ…爪部
１００…段積みケース（第６実施形態）
１０１…パッキン
１０２…シール部材、１０２ａ…傾斜部
１０３…リブ
１０４…パッキン
１１０…段積みケース（第７実施形態）
１１１…収容台
Ｔ…電動工具
１２０…段積みケース
１２１…放熱ブロック体
１２２…放熱板
１３０…段積み装置（第８実施形態）
１３１…ケース本体
１３２…蓋
１３３…バッテリ取り付け部
１３４…放熱ファン
１３５…冷却機能部
１３７…ヒートシンク
１３８…ペルチェ素子
１４０…段積み装置（第９実施形態）
１４１…冷却機能部
１４２…圧縮器
１４３…凝縮器
１４４…冷却ファン
１４５…減圧バルブ
１４６…冷却ブロック
１５０…段積みケース（第１０実施形態）
１５１…冷却機能部
１５２…バッテリ取り付け部
１５３…放熱フィン
１５２…バッテリ取り付け部
１５４…ペルチェ素子
１５５…放熱ブロック体
１５６…放熱板
１５７…冷却ファン
１５８…冷却スイッチ
【図１】
2017164885.tif 000003
【図２】
2017164885.tif 000004
【図３】
2017164885.tif 000005
【図４】
2017164885.tif 000006
【図５】
2017164885.tif 000007
【図６】
2017164885.tif 000008
【図７】
2017164885.tif 000009
【図８】
2017164885.tif 000010
【図９】
2017164885.tif 000011
【図１０】
2017164885.tif 000012
【図１１】
2017164885.tif 000013
【図１２】
2017164885.tif 000014
【図１３】
2017164885.tif 000015
【図１４】
2017164885.tif 000016
【図１５】
2017164885.tif 000017
【図１６】
2017164885.tif 000018
【図１７】
2017164885.tif 000019
【図１８】
2017164885.tif 000020
【図１９】
2017164885.tif 000021
【図２０】
2017164885.tif 000022
【図２１】
2017164885.tif 000023
【図２２】
2017164885.tif 000024
【図２３】
2017164885.tif 000025
【図２４】
2017164885.tif 000026
【図２５】
2017164885.tif 000027
【図２６】
2017164885.tif 000028
【図２７】
2017164885.tif 000029
【図２８】
2017164885.tif 000030
【図２９】
2017164885.tif 000031
【図３０】
2017164885.tif 000032
【図３１】
2017164885.tif 000033
【図３２】
2017164885.tif 000034